【手続補正書】
【提出日】平成18年3月20日(2006.3.20)
【手続補正１】
【補正対象書類名】明細書
【補正対象項目名】特許請求の範囲
【補正方法】変更
【補正の内容】
【特許請求の範囲】
【請求項１】 
回転対称軸を有さない回転非対称面の光学面を複数有する光学素子において、前記複数の回転非対称面にそれぞれ現出する任意の波長の微小うねりのうち、その中心線平均粗さが最も大きくなりうる方向を前記複数の回転非対称面間で互いに一致させないように構成することを特徴とする回転非対称光学面を有する光学素子。
【請求項２】
前記複数の回転非対称面の中心線平均粗さが最も大きくなる方向が、それぞれの回転非対称面間において互いに略直角をなすように構成することを特徴とする請求項１に記載の回転非対称光学面を有する光学素子。
【請求項３】
前記複数の回転非対称面の中心線平均粗さが最も大きくなりうる方向が、それぞれの回転非対称面間において互いに略４５°の角度をなすように構成することを特徴とする請求項１に記載の回転非対称光学面を有する光学素子。
【請求項４】
前記複数の回転非対称面は、前記中心線平均粗さが最も大きくなる方向が互いに略直角をなす回転非対称面と、前記各方向に対して中心線平均粗さの最も大きくなる方向が略４５°の角度をなす回転非対称面と、により構成することを特徴とする請求項１に記載の回転非対称光学面を有する光学素子。
【請求項５】
光学素子を成形するための金型駒を複数組み合わせた金型装置において、
前記複数の金型駒は回転対称軸を有さない回転非対称な表面を有し、
複数の金型駒の表面にそれぞれ現出する任意の波長の微小うねりのうち、その中心線平均粗さが最も大きくなりうる方向を複数の金型駒間で互いに一致させないように構成することを特徴とする金型装置。
【請求項６】
前記複数の金型駒の中心線平均粗さが最も大きくなる方向が、それぞれの金型駒間において互いに略直角をなすように構成することを特徴とする請求項５に記載の金型装置。
【請求項７】
前記複数の金型駒の中心線平均粗さが最も大きくなる方向が、それぞれの金型駒間において互いに略４５°の角度をなすように構成することを特徴とする請求項５に記載の金型装置。
【請求項８】
前記複数の金型駒は、前記中心線平均粗さが最も大きくなる方向が互いに略直角をなす金型駒と、前記各方向に対して中心線平均粗さの最も大きくなる方向が略４５°の角度をなす金型駒と、により構成することを特徴とする請求項５に記載の金型装置。
【手続補正２】
【補正対象書類名】明細書
【補正対象項目名】００１２
【補正方法】変更
【補正の内容】
【００１２】
そして、本発明の請求項３の回転非対称光学面を有する光学素子は、請求項１の構成にあって、前記複数の回転非対称面の中心線平均粗さが最も大きくなりうる方向が、それぞれの回転非対称面間において互いに略４５°の角度をなすように構成することを特徴とする。
また、本発明の請求項４の回転非対称光学面を有する光学素子は、請求項１の構成にあって、前記複数の回転非対称面は、前記中心線平均粗さが最も大きくなる方向が互いに略直角をなす回転非対称面と、前記各方向に対して中心線平均粗さの最も大きくなる方向が略４５°の角度をなす回転非対称面と、により構成することを特徴とする。
【手続補正３】
【補正対象書類名】明細書
【補正対象項目名】００１３
【補正方法】変更
【補正の内容】
【００１３】
さらに、本発明の請求項５の金型装置は、光学素子を成形するための金型駒を複数組み合わせた金型装置において、前記複数の金型駒は回転対称軸を有さない回転非対称な表面を有し、複数の金型駒の表面にそれぞれ現出する任意の波長の微小うねりのうち、その中心線平均粗さが最も大きくなりうる方向を複数の金型駒間で互いに一致させないように構成することを特徴とする。
また、本発明の請求項６の金型装置は、請求項５の構成にあって、前記複数の金型駒の中心線平均粗さが最も大きくなる方向が、それぞれの金型駒間において互いに略直角をなすように構成することを特徴とする。
そして、本発明の請求項７の金型装置は、請求項５の構成にあって、前記複数の金型駒の中心線平均粗さが最も大きくなる方向が、それぞれの金型駒間において互いに略４５°の角度をなすように構成することを特徴とする。
さらに、本発明の請求項８の金型装置は、請求項５の構成にあって、前記複数の金型駒は、前記中心線平均粗さが最も大きくなる方向が互いに略直角をなす金型駒と、前記各方向に対して中心線平均粗さの最も大きくなる方向が略４５°の角度をなす金型駒と、により構成することを特徴とする。
【手続補正４】
【補正対象書類名】明細書
【補正対象項目名】００１５
【補正方法】変更
【補正の内容】
【００１５】
また、本発明の請求項２の構成にあっては、前記複数の回転非対称面の中心線平均粗さが最も大きくなる方向を、それぞれの回転非対称面間において互いに略直角をなすようにし、
請求項３の構成にあっては、前記複数の回転非対称面の中心線平均粗さが最も大きくなりうる方向が、それぞれの回転非対称面間において互いに略４５°の角度をなすようにし、
また、請求項４の構成にあっては、前記複数の回転非対称面は、前記中心線平均粗さが最も大きくなる方向が互いに略直角をなす回転非対称面と、前記各方向に対して中心線平均粗さの最も大きくなる方向が略４５°の角度をなす回転非対称面と、によりモアレの発生を防ぎ、また光量ロスの増幅を回避しコントラスト低下を防ぐ。
【手続補正５】
【補正対象書類名】明細書
【補正対象項目名】００１６
【補正方法】変更
【補正の内容】
【００１６】
さらに、本発明の請求項５の構成にあっては、光学素子を成形するための複数の金型駒は回転対称軸を有さない回転非対称な表面を有し、複数の金型駒の表面にそれぞれ現出する任意の波長の微小うねりのうち、その中心線平均粗さが最も大きくなりうる方向を複数の金型駒間で互いに一致させないようにし、前記中心線平均粗さが最も大きくなる方向が異なる複数の回転非対称面を有する光学素子を成形する。
【手続補正６】
【補正対象書類名】明細書
【補正対象項目名】００１７
【補正方法】変更
【補正の内容】
【００１７】
また、本発明の請求項６の構成にあっては、光学素子を成形するための複数の金型駒の表面にそれぞれ現出する任意の波長の微小うねりのうち、その中心線平均粗さが最も大きくなる方向を複数の金型駒間で互いに略直角をなすようにし、前記中心線平均粗さが最も大きくなる方向が略直角な複数の回転非対称面を有する光学素子を成形する。
そして、本発明の請求項７の構成にあっては、前記複数の金型駒の中心線平均粗さが最も大きくなる方向が、それぞれの金型駒間において互いに略４５°の角度をなすようにし、
前記中心線平均粗さが最も大きくなる方向が略４５°な複数の回転非対称面を有する光学素子を成形する。
さらに、本発明の請求項８の構成にあっては、前記複数の金型駒は、前記中心線平均粗さが最も大きくなる方向が互いに略直角をなす金型駒と、前記各方向に対して中心線平均粗さの最も大きくなる方向が略４５°の角度をなす金型駒と、により、前記中心線平均粗さが最も大きくなる方向が略直角と、略４５°の複数の回転非対称面を有する光学素子を成形する。
【手続補正７】
【補正対象書類名】明細書
【補正対象項目名】００６２
【補正方法】変更
【補正の内容】
【００６２】
また、本発明の請求項２の回転非対称光学面を有する光学素子によれば、前記複数の回転非対称面の中心線平均粗さが最も大きくなる方向が、それぞれの回転非対称面間において互いに略直角をなすように構成したので、モアレの発生や著しいコントラスト低下を未然に防ぐことができる効果を奏する。
そして、本発明の請求項３の回転非対称光学面を有する光学素子によれば、前記複数の回転非対称面の中心線平均粗さが最も大きくなりうる方向が、それぞれの回転非対称面間において互いに略４５°の角度をなすように構成したので、モアレの発生や著しいコントラスト低下を未然に防ぐことができる効果を奏する。
さらに、本発明の請求項４の回転非対称光学面を有する光学素子によれば、前記複数の回転非対称面は、前記中心線平均粗さが最も大きくなる方向が互いに略直角をなす回転非対称面と、前記各方向に対して中心線平均粗さの最も大きくなる方向が略４５°の角度をなす回転非対称面と、により構成したので、モアレの発生や著しいコントラスト低下を未然に防ぐことができる効果を奏する。
【手続補正８】
【補正対象書類名】明細書
【補正対象項目名】００６３
【補正方法】変更
【補正の内容】
【００６３】
さらに、本発明の請求項５の金型装置によれば、光学素子を成形する複数の金型駒は回転対称軸を有さない回転非対称な表面を有し、複数の金型駒の表面にそれぞれ現出する任意の波長の微小うねりのうち、その中心線平均粗さが最も大きくなりうる方向を複数の金型駒間で互いに一致させないように構成したので、モアレの発生や著しいコントラスト低下を未然に防ぐ光学素子を成形することができる効果を奏する。
【手続補正９】
【補正対象書類名】明細書
【補正対象項目名】００６４
【補正方法】変更
【補正の内容】
【００６４】
また、本発明の請求項６の金型装置によれば、前記複数の金型駒の中心線平均粗さが最も大きくなる方向が、それぞれの金型駒間において互いに略直角をなすように構成したので、モアレの発生や著しいコントラスト低下を未然に防ぐ光学素子を成形することができる効果を奏する。
そして、本発明の請求項７の金型装置によれば、前記複数の金型駒の中心線平均粗さが最も大きくなる方向が、それぞれの金型駒間において互いに略４５°の角度をなすように構成したので、モアレの発生や著しいコントラスト低下を未然に防ぐ光学素子を成形することができる効果を奏する。
さらに、本発明の請求項８の金型装置によれば、前記複数の金型駒は、前記中心線平均粗さが最も大きくなる方向が互いに略直角をなす金型駒と、前記各方向に対して中心線平均粗さの最も大きくなる方向が略４５°の角度をなす金型駒と、により構成したので、モアレの発生や著しいコントラスト低下を未然に防ぐ光学素子を成形することができる効果を奏する。